(57)【要約】【課題】消火栓装置、消火器箱等の消火装置をトンネル壁面に箱抜きすることなく設置することができる消火装置用架台、及び該消火装置用架台を備えた消火装置を提供する。【解決手段】本発明に係る消火装置用架台５は、筐体１の内部に消火用の機器を収納した消火栓装置３を、トンネルの壁面７に設置するためのものであって、壁面７に固定されて、消火栓装置３の荷重を支持する主支持部材９と、主支持部材９の下方又は上方に設けられて、主支持部材９に支持されている消火栓装置３の姿勢を保持する姿勢保持部材１１とを有し、主支持部材９は、壁面７に沿って取り付けられ、前記トンネル軸方向に延出する条材からなる第１主支持部材２５と、筐体１の背面の所望の位置又は天面に取り付けられて、第１主支持部材２５に連結される第２主支持部材２７とを有してなることを特徴とするものである。【選択図】  図１
2020078429.tif 000002
【特許請求の範囲】
【請求項１】
筐体の内部に消火用の機器を収納した消火装置を、トンネルの壁面に設置するための消火装置用架台であって、
前記壁面に固定されて、前記消火装置の荷重を支持する主支持部材と、
該主支持部材の下方又は上方に設けられて、前記主支持部材に支持されている前記消火装置の姿勢を保持する姿勢保持部材とを有し、
前記主支持部材は、前記トンネルの壁面に沿って取り付けられ、前記トンネルの軸方向に延出する条材からなる第１主支持部材と、前記筐体の背面の所望の位置又は天面に取り付けられて、前記第１主支持部材に連結される第２主支持部材とを有してなることを特徴とする消火装置用架台。
【請求項２】
前記筐体は、その背面の高さ方向に所定の間隔で設けられた複数のボルト孔又はその天面に設けられたボルト孔を有し、
前記第２主支持部材は、前記背面のボルト孔又は前記天面のボルト孔にボルト固定又は係止されて前記筐体に取り付けられることを特徴とする請求項１記載の消火装置用架台。
【請求項３】
前記第１主支持部材を、トンネル軸線方向の傾きを調整可能に前記トンネルの壁面に取り付ける固定部材を備えたことを特徴とする請求項１又は２に記載の消火装置用架台。
【請求項４】
前記姿勢保持部材は、前記壁面の縦方向に延出する縦部材と、該縦部材に対して上下方向位置調整可能に設けられた横部材とを備えてなることを特徴とする請求項１乃至３のいずれか一項に記載の消火装置用架台。
【請求項５】
前記姿勢保持部材は、前記筐体の四隅に前記壁面に対して進退可能に設けられて、前記壁面を押圧することで、前記筐体の姿勢を保持するように構成されていることを特徴とする請求項１乃至３のいずれか一項に記載の消火装置用架台。
【請求項６】
前記第１主支持部材は、その長さが前記筐体の横幅よりも長尺に設定され、前記第２主支持部材は前記第１主支持部材に対して横方向位置調整可能に連結されることを特徴とする請求項１乃至５のいずれか一項に記載の消火装置用架台。
【請求項７】
請求項１乃至６のいずれかに記載の消火装置用架台を備えたことを特徴とする消火装置。
【発明の詳細な説明】
【技術分野】
【０００１】
本発明は、筐体の内部に消火用のホースを収納する消火栓装置、及び筐体の内部に消火器を収納する消火器箱といった消火装置を、トンネルの壁面に設置するための消火装置用架台、及び消火装置用架台を備えた消火装置に関する。
【背景技術】
【０００２】
本発明の消火装置のうちの消火栓装置を例に挙げて説明する。
トンネル等に設置される消火栓装置は、例えば特許文献１に開示されたように、消火栓装置の筐体を「トンネル壁面に形成された箱抜き部分」に設置していた。
【先行技術文献】
【特許文献】
【０００３】
【特許文献１】特開２０１５−４４０３９号公報
【発明の概要】
【発明が解決しようとする課題】
【０００４】
最近の大口径のトンネルはシールド工法によって構築されることが多く、この場合、トンネルの壁面がトンネルの掘削と同時にセグメントで構築されるため、特許文献１に開示されているような箱抜きをすることができない。
このような箱抜きできないトンネル壁面に消火栓装置を取り付ける架台について開示した先行技術文献はなく、具体的な架台の開発が望まれていた。
【０００５】
本発明はかかる課題を解決するためになされたものであり、消火栓装置、消火器箱等の消火装置をトンネル壁面に箱抜きすることなく設置することができる消火装置用架台、及び該消火装置用架台を備えた消火装置を提供することを目的としている。
【課題を解決するための手段】
【０００６】
（１）本発明に係る消火装置用架台は、筐体の内部に消火用の機器を収納した消火装置を、トンネルの壁面に設置するためのものであって、
前記壁面に固定されて、前記消火装置の荷重を支持する主支持部材と、
該主支持部材の下方又は上方に設けられて、前記主支持部材に支持されている前記消火装置の姿勢を保持する姿勢保持部材とを有し、
前記主支持部材は、前記トンネルの壁面に沿って取り付けられ、前記トンネルの軸方向に延出する条材からなる第１主支持部材と、前記筐体の背面の所望の位置又は天面に取り付けられて、前記第１主支持部材に連結される第２主支持部材とを有してなることを特徴とするものである。
【０００７】
（２）また、上記（１）に記載のものにおいて、前記筐体は、その背面の高さ方向に所定の間隔で設けられた複数のボルト孔又はその天面に設けられたボルト孔を有し、
前記第２主支持部材は、前記背面のボルト孔又は前記天面のボルト孔にボルト固定又は係止されて前記筐体に取り付けられることを特徴とするものである。
【０００８】
（３）また、上記（１）又は（２）に記載のものにおいて、前記第１主支持部材を、トンネル軸線方向の傾きを調整可能に前記トンネルの壁面に取り付ける固定部材を備えたことを特徴とするものである。
【０００９】
（４）また、上記（１）乃至（３）のいずれかに記載のものにおいて、前記姿勢保持部材は、前記壁面の縦方向に延出する縦部材と、該縦部材に対して上下方向位置調整可能に設けられた横部材とを備えてなることを特徴とするものである。
【００１０】
（５）また、上記（１）乃至（３）のいずれかに記載のものにおいて、前記姿勢保持部材は、前記筐体の四隅に前記壁面に対して進退可能に設けられて、前記壁面を押圧することで、前記筐体の姿勢を保持するように構成されていることを特徴とするものである。
【００１１】
（６）また、上記（１）乃至（５）のいずれかに記載のものにおいて、前記第１主支持部材は、その長さが前記筐体の横幅よりも長尺に設定され、前記第２主支持部材は前記第１主支持部材に対して横方向位置調整可能に連結されることを特徴とするものである。
【００１２】
（７）また、本発明に係る消火装置は、上記（１）乃至（６）のいずれかに記載の消火装置用架台を備えたことを特徴とするものである。
【発明の効果】
【００１３】
本発明に係る消火装置用架台は、壁面に固定されて、消火装置の荷重を支持する主支持部材と、該主支持部材の下方又は上方に設けられて、前記主支持部材に支持されている前記消火装置の姿勢を保持する姿勢保持部材とを有し、
前記主支持部材は、前記壁面に沿って取り付けられ、前記トンネル軸方向に延出する条材からなる第１主支持部材と、前記筐体の背面の所望の位置又は天面に取り付けられて、前記第１主支持部材に連結される第２主支持部材とを有してなることにより、箱抜きできないようなシールドトンネルの壁面に対しても消火装置を容易に設置することができる。
【図面の簡単な説明】
【００１４】
【図１】本発明の実施の形態１に係る消火装置用架台を用いて消火栓装置をトンネル壁面に第１の設置態様で設置した状態の正面図である。  図面の表記において、正面、背面、平面、側面は消火装置用架台を壁面に取り付けた状態で、壁面に対向して見たときに正面に見える面を正面とし、これを基準にしてそれぞれの面を特定している。
【図２】図１の矢視Ａ−Ａ図（ａ）及び矢視Ｂ−Ｂ図（ｂ）である。
【図３】図１に示した消火栓装置の筐体の背面図（ａ）及び側面図（ｂ）である。
【図４】図１に示した消火栓装置の筐体の天面図（ａ）及び底面図（ｂ）である。
【図５】第１主支持部材の正面図（ａ）、側面図（ｂ）、底面図（ｃ）である。
【図６】第１主支持部材と補助フレームを壁面に固定するための左右一対の第１固定部材の正面図（ａ）、側面図（ｂ）、背面図（ｃ）、平面図（ｄ）である。
【図７】第１主支持部材を壁面に固定するための第２固定部材の正面図（ａ）、側面図（ｂ）、背面図（ｃ）、平面図（ｄ）である。
【図８】第２主支持部材の正面図（ａ）、側面図（ｂ）、平面図（ｃ）である。
【図９】姿勢保持部材を構成する左右一対の縦部材の正面図（ａ）、側面図（ｂ）、平面図（ｃ）である。
【図１０】縦部材を壁面に固定する左右一対の第３固定部材の正面図（ａ）、側面図（ｂ）、平面図（ｃ）である。
【図１１】姿勢保持部材を構成する横部材の正面図（ａ）、平面図（ｂ）、側面図（ｃ）である。
【図１２】縦部材に取り付けられて、横部材を連結するための連結部材の正面図（ａ）、側面図（ｂ）、背面図（ｃ）、平面図（ｄ）である。
【図１３】シールドトンネルのインサートアンカーの位置についての説明図であって、トンネル軸方向直交断面を示している。
【図１４】本発明の実施の形態１に係る消火装置用架台を用いて消火栓装置をトンネル壁面に第２の設置態様で設置した状態の正面図である。
【図１５】図１４の矢視Ａ−Ａ図（ａ）及び矢視Ｂ−Ｂ図（ｂ）である。
【図１６】図１４に示す設置態様における第１主支持部材の正面図（ａ）、側面図（ｂ）、平面図（ｃ）である。
【図１７】図１４に示す設置態様における第２主支持部材の正面図（ａ）、側面図（ｂ）、平面図（ｃ）、背面図（ｄ）である。
【図１８】本発明の実施の形態１に係る消火装置用架台を用いて消火栓装置をトンネル壁面に第３の設置態様で設置した状態の正面図である。
【図１９】図１８の矢視Ａ−Ａ図（ａ）及び矢視Ｂ−Ｂ図（ｂ）である。
【図２０】図１８に示す設置態様における姿勢保持部材を構成する左右一対の縦部材の正面図（ａ）、側面図（ｂ）、平面図（ｃ）である。
【図２１】図１８に示す設置態様における姿勢保持部材を構成する横部材の正面図（ａ）、底面図（ｂ）、側面図（ｃ）である。
【図２２】同一高さのインサートアンカーを用いて、高さを調整した場合の取り付け方法の説明図である。
【図２３】本発明の実施の形態２に係る消火装置用架台を用いて消火栓装置をトンネル壁面に設置した状態の正面図である。
【図２４】図２３に示した消火栓装置の取付状態の側面図である。
【図２５】図２３に示した消火装置用架台によって取り付けられる消火栓装置の筐体の側面図及び背面図である。
【図２６】図２３に示した消火装置用架台の姿勢保持部材の説明図である。
【図２７】本発明の実施の形態２に係る消火装置用架台の姿勢保持部材の他の態様の説明図であり、筐体を背面から見た図（ａ）、側面から見た図（ｂ）、上面から見た図（ｃ）である。
【図２８】本発明の実施の形態３に係る消火装置用架台を用いて消火栓装置をトンネル壁面に設置した状態の正面図である。
【図２９】図２８に示した消火装置用架台の左右一対の第１固定部材の正面図（ａ）、側面図（ｂ）、背面図（ｃ）、平面図（ｄ）である。
【図３０】図２８に示した消火装置用架台の第２固定部材の正面図（ａ）、側面図（ｂ）、背面図（ｃ）、平面図（ｄ）である。
【図３１】図２８に示した消火装置用架台の縦部材の正面図（ａ）、側面図（ｂ）、平面図（ｃ）である。
【図３２】図２８に示した消火装置用架台の第３固定部材の正面図（ａ）、側面図（ｂ）、平面図（ｃ）である。
【発明を実施するための形態】
【００１５】
［実施の形態１］
以下の説明は、設置対象となる消火装置として、図１に示すように、消火栓装置３を例に挙げ、トンネルとして壁面７がセグメント１３によって構築されたシールドトンネルのインサートアンカー１５を利用して設置する場合を例に挙げて説明する。なお、図１では詳細な記載を省略しているが、消火栓装置３は、実際には筐体１の内部に消火用のホースを収容したものである。
また、本明細書において、方向を表す前後左右は、消火装置用架台５を壁面７に設置した状態においての方向であり、例えば、前方とは壁面７から離れる方向、後方とはその反対である。
【００１６】
本実施の形態の消火装置用架台５によって消火栓装置３を設置する場合、使用するインサートアンカー１５に対する相対位置関係から３つの設置態様がある（図１、図１４、図１８参照）ので、各設置態様について順に説明する。
【００１７】
〔第１の設置態様〕
本実施の形態に係る消火装置用架台５は、消火栓装置３をトンネルの壁面７に設置するための消火装置用架台５であって、図１、図２に示すように、トンネルの壁面７に固定されて、消火栓装置３の荷重を支持する主支持部材９と、主支持部材９の下方に設けられて、主支持部材９に支持されている消火栓装置３の姿勢を保持する姿勢保持部材１１とを有している。
以下、各構成を詳細に説明する。
【００１８】
＜シールドトンネル＞
シールドトンネルは、セグメント１３をトンネルの周方向及び軸方向に設置して形成されるものであり、セグメント１３にはトンネルの壁面７に必要機器類を設置できるようにするためにインサートアンカー１５が設けられている。
【００１９】
＜消火栓装置＞
消火栓装置３は、筐体１の内部に消火用ホースを収容するものである。なお、消火栓装置３には、消火用ホースに加えて消火器を収納するものも含まれる。
筐体１は、鋼板製の矩形の箱状からなり、その正面パネルには、開閉扉が設けられており、消火栓装置３を使用する場合には、開閉扉を開扉して使用する。
【００２０】
また、筐体１の背面は、図３に示すように、その所定高さより下の部分が、上方から下方に向かう方向で、かつ背面側から前面側に向かって傾斜する傾斜面部１７になっている。
筐体１の背面側に傾斜面部１７を設けることで、シールドトンネルの壁面７に設置するときに、壁面７との干渉を避けることができ、消火栓装置３の壁面７からの突出をできるだけ小さくすることができる（図２（ｂ）参照）。
【００２１】
また、筐体１の背面には、図３に示すように、後述する第２主支持部材２７を取り付けるためのボルト孔１９が、高さ方向に所定の間隔で複数段設けられている。同一段には、幅方向に３個のボルト孔１９が設けられて、これが複数段（本例では、７段）設けられている。
なお、筐体１の背面に設けたボルト孔１９は、図１４、図１８に示す他の設置態様の場合に機能する。
【００２２】
また、筐体１の天面にも、図４（ａ）に示すように、後述する第２主支持部材２７を取り付けるためのボルト孔２１が幅方向に３個設けられている。天面に設けたボルト孔２１は、図１、図２に示す設置態様において機能する。
さらに、筐体１の底面には、姿勢保持部材１１と連結するためのボルト孔２３が幅方向に３個設けられている。ボルト孔２３は、前後方向に長い長孔になっており、ボルトの位置調整が可能になっている（図４（ｂ））。
【００２３】
＜主支持部材＞
主支持部材９は、壁面７に沿って設けられて消火栓装置３の荷重を支持する部材であって、トンネル軸方向に延出する条材からなる第１主支持部材２５と、筐体１の背面の所望の位置又は天面に取り付けられて、第１主支持部材２５に連結される第２主支持部材２７とを有してなるものである。
【００２４】
《第１主支持部材》
第１主支持部材２５は、消火栓装置３の幅よりも長尺に設定された（図１参照）、Ｌ字状のアングル材からなるものであり、横長の矩形からなる正面部２９と、正面部２９の上辺から背面側に直角に屈曲する上面部３１を有している（図５（ａ）（ｂ）参照）。
本例では、第１主支持部材２５は、トンネル軸方向に並んでいるインサートアンカー１５の各スパンの長さ（トンネル軸方向に隣り合うインサートアンカー間の距離）を足したときに、消火栓装置３の筐体１の幅よりも長くなるときの最小の長さ（図１に示す例では、４スパン分を足した長さ）に、インサートアンカー１５のトンネル軸方向の１スパン分の長さを足した長さに設定されている。このように設定することで、消火栓装置３をトンネル軸方向に複数設置する場合において、各消火栓装置３の間隔を所望の間隔に調整可能になる。
【００２５】
第１主支持部材２５には、図５（ａ）の正面図に示すように、正面部２９にナット付きボルト孔３３が所定間隔（例えば、５００ｍｍ）で設けられている。この正面部２９に設けられたナット付きボルト孔３３は、図２に示すように、第２主支持部材２７とボルト接合する際に使用される。
また、第１主支持部材２５には、図５（ｃ）に示すように、その上面部３１には第１主支持部材２５を第１固定部材３５及び第２固定部材３７を介して壁面７に取り付けるためのボルト挿通孔であって、軸方向に長い長孔３９が複数（本例では６個（図１参照））設けられている。
【００２６】
《第１固定部材》
第１固定部材３５は、第１主支持部材２５の両端部の位置にあって、壁面７のインサートアンカー１５に固定され、第１主支持部材２５の両端部と後述する縦部材７１の上端部を固定するものである。
第１固定部材３５は、図６に示すように、左右一対（図６（Ａ）（Ｂ）参照）で構成されている。
左右一対の第１固定部材３５は、正面視で左側に配置されるもの（図６（Ａ）参照）と右側に配置されるもの（図６（Ｂ）参照）で、側面部４５の設けられる位置が左右で異なること以外は同一形状であるので、左側に配置されるものについて図６（Ａ）に基づいて説明する。
【００２７】
第１固定部材３５は、正面から見た状態（図６（Ａ）（ａ）参照）に示されるように、縦長の長孔４１が設けられた矩形状の背面部４３と、背面部４３の左辺に沿って前方に直角に立ち上がるように形成された（左）側面部４５と、背面部４３の上辺に沿って前方に略直角に立ち上がるように形成された上面部４７を備えて構成されている。背面部４３と上面部４７との関係は、背面部４７をトンネルの壁面７に設置したときに、上面部４７が水平になるような関係になっている。
（左）側面部４５には、後述する縦部材７１の上端を固定するためのボルト孔４９が形成されている（図６（Ａ）（ｂ）参照）。
【００２８】
また、上面部４７には、その下面側にナットが取り付けられたナット付きボルト孔５１が形成されており、このナット付きボルト孔５１と第１主支持部材２５の両端の上面部３１に形成された長孔３９を位置合わせしてボルト接合することで、第１主支持部材２５が固定される。
第１固定部材３５は、背面部４３を壁面７に当接させて、長孔４１を壁面７のインサートアンカー１５に位置合わせして、ボルトによって壁面７に固定される。
【００２９】
《第２固定部材》
第２固定部材３７は、第１主支持部材２５の中間部の位置にあって、壁面７のインサートアンカー１５に固定され、第１主支持部材２５を壁面７に固定するためのものである。
第２固定部材３７は、正面から見た状態（図７（ａ）参照）に示されるように、縦長の長孔５３が設けられた矩形状の背面部５５と、背面部５５の右辺に沿って前方に直角に立ち上がるように形成された略直角三角形の右側面部５７と、背面部５５の上辺に沿って前方に略直角に立ち上がるように形成された上面部５９を備えて構成されている。背面部５５と上面部５９との関係も、背面部４３と上面部４７との関係と同様に、背面部５５をトンネルの壁面７に設置したときに、上面部５９が水平になるような関係になっている。
上面部５９には、その下面側にナットが取り付けられたナット付きボルト孔６１が形成されており、このナット付きボルト孔６１と第１主支持部材２５の中間部の上面部３１に形成された長孔３９を位置合わせしてボルト接合することで、第１主支持部材２５が固定される。
第２固定部材３７は、背面部５５を壁面７に当接させて、長孔５３を壁面７のインサートアンカー１５に位置合わせして、ボルトによって壁面７に固定される。
【００３０】
《第２主支持部材》
第２主支持部材２７は、消火栓装置３の幅と同一寸法に設定された、Ｌ字状のアングル材からなるものであり、横長の矩形からなる背面部６３と、背面部６３の下辺から前面側に直角に屈曲する底面部６５を有している（図８参照）。
【００３１】
第２主支持部材２７の背面部６３には、図８（ａ）に示すように、所定の間隔で複数のボルト孔６７が設けられている。このボルト孔６７は、第２主支持部材２７を第１主支持部材２５に対して横方向位置調整可能にボルト接合するために使用されるものである。消火栓装置３の取り付け時において、消火栓装置３のトンネル軸方向の位置調整を細かくできるようにするため、ボルト孔６７の間隔は、例えば約１０ｃｍ間隔で設定されている。なお、さらに細かい調整を求められる場合、ボルト孔６７の間隔を狭くする、ボルト孔６７に代えてスリットにする、ボルト孔６７を長孔にする、長孔にした上で相手方のナット付きボルト孔３３も長孔にする等が考えられる。
【００３２】
第２主支持部材２７の底面部６５には、筐体１の天面にボルト固定するためのボルト孔６９が設けられている。
第２主支持部材２７は、図２に示すように、底面部６５を筐体１の天面に当接させた状態で筐体１の天面にボルト固定される。
第２主支持部材２７と第１主支持部材２５は、図２に示すように、第１主支持部材２５の正面部２９に第２主支持部材２７の背面部６３を当接させてボルト接合される。
【００３３】
＜姿勢保持部材＞
姿勢保持部材１１は、主支持部材９の下方に設けられて、主支持部材９に支持されている消火栓装置３の姿勢を保持するものであり、本実施の形態の姿勢保持部材１１は、図１、図２に示すように、壁面７の縦方向に延出する縦部材７１と、縦部材７１に対して上下方向位置調整可能に設けられた横部材７３とを備えてなるものである。
【００３４】
《縦部材》
縦部材７１は、上端が第１固定部材３５に取り付けられて、下部に横部材７３が取り付けられるものであり、図９に示すように、左右一対（図９（Ａ）（Ｂ）参照）で構成されている。
左右一対の縦部材７１は、正面視で左側に配置されるもの（図９（Ａ）参照）と右側に配置されるもの（図９（Ｂ）参照）で、側面部７７の設けられる位置が左右で異なること以外は同一形状であるので、左側に配置されるものについて図９（Ａ）に基づいて説明する。
【００３５】
縦部材７１は、第１主支持部材２５及び第２主支持部材２７と同様に、Ｌ字状のアングル材からなるものであり、縦長の矩形からなる正面部７５と、正面部７５の右辺から背面側に直角に屈曲する（右）側面部７７を有している（図９（Ａ）参照）。
正面部７５の下端部には、横部材７３を、後述する連結部材１０３を介して高さ調整可能に取り付けるためのボルト孔７９が複数設けられている。ボルト孔７９を複数設けて、横部材３の高さを調整可能にしている点は、主に第２の設置態様で有効な構成である。
縦部材７１の（右）側面部７７における上端には、第１固定部材３５にボルト接合するためのボルト孔８１が設けられている。また、縦部材７１の（右）側面部７７における下部には、縦部材７１の下部を、第３固定部材８５を介して壁面７に固定するためのボルト孔８３が設けられている。
【００３６】
《第３固定部材》
第３固定部材８５は、縦部材７１の下部に配置されて、縦部材７１の下部を壁面７に固定するためのものであり、図１、図１０に示すように、左右一対（図１０（Ａ）（Ｂ）参照）で構成されている。
左右一対の第３固定部材８５は、正面視で左側に配置されるもの（図１０（Ａ）参照）と右側に配置されるもの（図１０（Ｂ）参照）で、側面部８９の設けられる位置が左右で異なること以外は同一形状であるので、左側に配置されるものについて図１０（Ａ）に基づいて説明する。
第３固定部材８５は、略正方形の正面部８７と、正面部８７の左辺に沿って前方に直角に立ち上がる略正方形の側面部８９からなるＬ字状の部材である。
【００３７】
正面部８７には、第３固定部材８５を壁面７のインサートアンカー１５に固定するためのボルト孔９１が設けられている。
また、側面部８９には、縦部材７１のボルト孔８３と位置合わせして縦部材７１を固定するためボルト孔９３が設けられている。
第３固定部材８５の正面部８７を壁面７に当接させて壁面７にボルト固定し、第３固定部材８５の側面部のボルト孔９３と縦部材７１の側面部７７のボルト孔８３を位置合わせした状態で両者をボルト接合することで、縦部材７１の下部が固定される。
【００３８】
《横部材》
横部材７３はその両端部が連結部材１０３を介して縦部材７１に連結され、その中間部において筐体１の底面に接続されることで、筐体１の姿勢を保持させるための部材である。
横部材７３は、図１１に示すように、縦部材７１と同様に、Ｌ字状のアングル材からなるものであり、横長で矩形状の正面部９５と、正面部９５の上辺から背面側に直角に屈曲する上面部９７を有している。
上面部９７の両端部には、連結部材１０３に連結するためのボルト孔９９が設けられている。
また、横部材７３の上面部９７には、筐体１の底面に設けられた長孔２３にボルト接合するためのボルト孔１０１が複数設けられている。
【００３９】
《連結部材》
連結部材１０３は、縦部材７１の下部に取り付けられて、縦部材７１と横部材７３を連結するためのものである。
連結部材１０３は、図１２に示すように、正面からみた状態でわかるように縦に２つのボルト孔１０５を有する矩形状の背面部１０７（図１２（ａ）（ｃ）参照）と、背面部１０７の右側辺に沿って前方に直角に立ち上がるように形成された略直角三角形の側面部１０９（図１２（ｂ）参照）と、背面部１０７の上辺に沿って略直角に立ち上がるように形成された矩形状の上面部１１１（図１２（ｄ）参照）を備えて構成されている。背面部１０７と上面部１１１との関係は、背面部１０７を縦部材７１に当接させて設置したときに、上面部１１１が水平になるような関係になっている。
上面部１１１には、その下面側にナットが取り付けられたナット付きボルト孔１１３が形成されている。
【００４０】
連結部材１０３は、その背面部１０７を、図２（ａ）に示すように、縦部材７１の正面部７５に当接させて、縦部材７１に形成されたボルト孔７９の中の所定のものとボルト孔１０５との位置を合わせてボルト固定する。
そして、連結部材１０３の上面部１１１に横部材７３を載置して、横部材７３をナット付きボルト孔１１３に固定することで、横部材７３が縦部材７１の高さ方向所定の位置に固定される。なお、図１２では、ボルト孔１０５を複数設けた例を図示しているが、姿勢保持程度であれば、ボルト孔１０５は１個でも問題ない。１個にした場合、縦部材７１に設けられたボルト孔７９の数は半分になる。
【００４１】
＜設置方法＞
上記のように構成された、消火装置用架台５によって消火栓装置３を、図１に示す態様で、シールドトンネルの壁面７にインサートアンカー１５を利用して設置する方法を説明する。
【００４２】
消火栓装置３は、監視員通路の上方の壁面７に、トンネルの軸方向に所定の間隔（例えば５０ｍ毎）で設置されるが、車道からの操作も可能にする必要性から、車道からの高さがほぼ一定になるように設置される必要がある。
そこで、図１に示す設置態様は、第１主支持部材２５を固定する際に使用するインサートアンカー１５の位置が車道から比較的高い位置にある場合に好適な態様である。
【００４３】
所定の位置にあるインサートアンカー１５を利用して、第１固定部材３５及び第２固定部材３７を壁面７にボルト固定する。
第１固定部材３５及び第２固定部材３７の上面部４７、５９に、第１主支持部材２５をその正面部２９が正面を向くように載置してボルト固定する。
一対の縦部材７１の上端を第１固定部材３５にボルト固定する。
一対の第３固定部材８５を、インサートアンカー１５を利用して壁面７に固定し、各第３固定部材８５と一対の縦部材７１の各下部をボルトで固定する。
【００４４】
一方、消火栓装置３の筐体１側においては、第２主支持部材２７をその背面部６３が背面側に配置されるようにしてその底面部６５を筐体１の天面にボルト固定する（図２参照）。
第２主支持部材２７が取り付けられた筐体１を壁面７に移動して、図２に示すように、第１主支持部材２５の正面部２９と第２主支持部材２７の背面部６３が当接するように配置する。第２主支持部材２７の背面部６３には、図８（ａ）に示すように、ボルト孔６７が多数設けられているので、当該消火栓装置３を配置するべき位置に筐体１をトンネル軸方向で位置決めし、このとき第１主支持部材２５の正面部２９に設けられているナット付きボルト孔３３の位置と一致するボルト孔６７を選択して、第１主支持部材２５と第２主支持部材２７をボルト接合する。
これによって、筐体１は、第１主支持部材２５にそのほぼ全荷重を支持された状態で取り付けられる。
【００４５】
この状態では、筐体１が前後方向（壁面７に直交する方向）に回動するので、これを防止するために姿勢保持部材１１による保持を行う必要がある。
そこで、一対の縦部材７１の正面部７５の下部に設けた複数のボルト孔７９から、その高さが筐体１の底面位置に近いものを選択して、連結部材１０３を取り付ける。
連結部材１０３に横部材７３を載置して、横部材７３の両端部を連結部材１０３にボルト接合する。
筐体１の底面に設けたボルト孔２３の位置にある横部材７３のボルト孔１０１をボルトによって接合する。
以上のようにして、筐体１は主支持部材９によって荷重支持され、かつ姿勢保持部材１１によって、前後方向への移動がしないようして姿勢が保持された状態で設置される。
【００４６】
以上のように、本実施の形態の消火装置用架台５によれば、消火栓装置３を箱抜きできないようなシールドトンネルの壁面７に対して容易に設置することができる。
また、本実施の形態では、第１主支持部材２５を筐体１の幅寸法よりも長尺に設定して、かつ第２主支持部材２７に多数のボルト孔６７を設けているので、トンネル軸方向における設置位置を調整することができる。
なお、第１主支持部材２５に位置調整用の多数のナット付きボルト孔３３を設けて、第２主支持部材２７を第１主支持部材２５に設けたナット付きボルト孔３３の位置に合わせて設置することで、トンネル軸方向の設置位置調整をするようにしてもよい。
【００４７】
〔第２の設置態様〕
図１に示した第１の設置態様は、筐体１の天面に第２主支持部材２７を取り付けるものであるため、図１に示されるように、主支持部材９を固定するインサートアンカー１５に対して筐体１の全部が下方に位置する態様である。
このため、第１主支持部材２５を固定する際に使用するインサートアンカー１５が比較的高い位置にあり、そのインサートアンカー１５と、下方の監視員通路との間に十分なスペースがある場合に好適なものである。
しかし、トンネル軸線方向に沿って配置されている各インサートアンカー１５の高さ位置は、一般的にトンネルの壁面７に対して一定の高さになるように施工されるが、各インサートアンカー１５の位置は、監視員通路や車道の路面からの高さが異なる場合がある。この点を、図１３に基づいて説明する。
【００４８】
図１３は、トンネルの軸方向直交断面を示したもので、図１３（ａ）は道路が左カーブ、図１３（ｂ）は道路が右カーブする場合の断面図である。車道の路面１１２の図中左側には監視員通路１１４が設けられている。図中左側のトンネルの壁面７に着目して、仮にトンネル径方向1/2の高さの位置（中心線と壁面７の交点Ａ）にインサートアンカー１５が設けられていたとすれば、この位置は、トンネルの壁面７の全体に対する絶対位置は、図１３（ａ）、図１３（ｂ）のいずれの場合もトンネル径方向1/2の高さ位置であり、両者は同じ高さ位置である。
【００４９】
しかし、左カーブの場合には、図１３（ａ）に示すように、路面１１２は左側が低く、右側が高い傾斜面となり、他方、右カーブでは、図１３（ｂ）に示すように、路面１１２は左側が高く、右側が低い傾斜面となるため、Ａ点の位置は左カーブの路面１１２からの距離と右カーブの路面１１２からの距離が大きく異なる。その距離は、トンネル径やカーブの緩急にもよるが、大きい場合で１ｍ程度にもなる。
【００５０】
このため、仮にトンネルの壁面７において同じ高さ位置のインサートアンカー１５を用いて消火栓装置３を固定する場合であっても、消火栓装置３の監視員通路１１４や車道の路面１１２からの位置が異なることになる。
そのため、同一高さのインサートアンカー１５を利用して消火栓装置３を設置しても、監視員通路１１４や車道の路面１１２からの消火栓装置３の高さ位置が場所によって異なる。
また、図１３（ａ）に示すように、インサートアンカー１５の位置が監視員通路１１４から十分に高い位置にある場合には、図１に示した第１の設置態様が可能であるが、図１３（ｂ）に示すように、インサートアンカー１５の位置と監視員通路１１４及び車道の路面１１２に近づいて空間が狭い場合には、図１に示した第１の設置態様での取付ができない場合もある。
そこで、以下においては、インサートアンカー１５に対する筐体１の相対位置を上にずらして、インサートアンカー１５の位置と監視員通路１１４との間の空間が狭い場合にも設置が可能な設置態様について、図１４〜図１７に基づいて説明する。
【００５１】
第２の設置態様が第１の設置態様と異なる点は、第１の設置態様では、第２主支持部材２７を筐体１の天面に取り付けていたのに対して、図１４、図１５に示すように、第２の設置態様では第２主支持部材１１９を筐体１の背面に取り付けている点である。
この違いにより、第２の設置態様に用いる主支持部材１１５における第１主支持部材１１７及び第２主支持部材１１９は、第１の設置態様に用いる第１主支持部材２５及び第２主支持部材２７とはその形状等が異なるのでこれら第１主支持部材１１７及び第２主支持部材１１９について以下に説明する。
【００５２】
＜第１主支持部材＞
第２の設置態様で用いる第１主支持部材１１７は、図１６に示すように、Ｌ字状のアングル材からなり、横長の矩形からなる背面部１２１と、背面部１２１の下辺から前面側に直角に屈曲する底面部１２３を有している。
底面部１２３には、第２主支持部材１１９とボルト接合する際に使用されるナット付きボルト孔１２５が所定間隔で設けられている。
また、底面部１２３には、第１主支持部材１１７を第１固定部材３５及び第２固定部材３７を介して壁面７に取り付けるためのボルトが挿通される孔であって、軸方向に長い長孔１３１が複数（本例では６個（図１４参照））設けられている。
【００５３】
＜第２主支持部材＞
第２の設置態様で用いる第２主支持部材１１９は、図１７に示すように、Ｌ字状のアングル材からなり、横長の矩形からなる正面部１３３と、正面部１３３の下辺から背面側に直角に屈曲する底面部１３５を有している。
【００５４】
第２主支持部材１１９の正面部１３３には、筐体１の背面にボルト固定するためのナット付きボルト孔１３７が設けられている。
筐体１の背面には、図３に示すように、高さ方向で複数段のボルト孔１９が設けられており、第２主支持部材１１９は、図１５に示すように、正面部１３３を筐体１の背面に当接させた状態で筐体１の背面にボルト固定される。
第２主支持部材１１９の底面部１３５には、図１７（ｃ）に示すように、第２主支持部材１１９を第１主支持部材１１７にボルト接合するために使用されるボルト孔１３９が、所定の間隔で複数設けられている。
【００５５】
第２主支持部材１１９と第１主支持部材１１７は、図１５に示すように、第１主支持部材１１７の底面部１２３に第２主支持部材１１９の底面部１３５を重ねるように配置してボルト接合される。
姿勢保持部材１１については、第１の設置態様と同様である。
【００５６】
第２の設置態様によれば、使用するインサートアンカー１５に対する筐体１の相対位置を第１の設置態様よりも上方にすることができ、それ故に使用するインサートアンカー１５の位置が監視員通路１１４に近い場合でも取り付けが可能である。
【００５７】
なお、第２の設置態様において第２主支持部材１１９の取り付けは、筐体１の背面に設けたボルト孔１９を使用して行うが、ボルト孔１９の位置が筐体１高さ方向の１/２よりも高い位置にあるものを使用するのが好ましい。
なぜなら、姿勢保持を筐体１の底面で行うため、主支持部材１１５の位置と筐体１の底面が近づきすぎると不安定になるからである。
使用するインサートアンカー１５に対して筐体１の位置をさらに上方にする場合には、以下に示す第３の設置態様を適用する。
【００５８】
〔第３の設置態様〕
第３の設置態様は、図１８、図１９に示すように、第２主支持部材１１９を筐体１の背面に取り付けている点は、第２の設置態様と同様であり、第２の設置態様と異なる点は、第２の設置態様においては姿勢保持部材１１における横部材７３を筐体１の底面と接続していたのに対して、第３の設置態様では、横部材１４５を筐体１の天面と接続して姿勢保持を行うようにした点である。
この違いにより、第３の設置態様における姿勢保持部材１４１における縦部材１４３及び横部材１４５は、第２の設置態様における縦部材７１及び横部材７３とはその形状等が異なるのでこれら縦部材１４３及び横部材１４５について以下に説明する。
【００５９】
《縦部材》
縦部材１４３は、下端が第１固定部材３５に、上端が第３固定部材８５にそれぞれ取り付けられ、上部側に連結部材１４６（連結部材１０３とほぼ同一形状であるが、上面部と背面部の成す角度が若干異なる）が設置されるものであり、図２０に示すように、左右一対（図２０（Ａ）（Ｂ）参照）で構成されている。
左右一対の縦部材１４３は、左側に配置されるもの（図２０（Ａ）参照）と右側に配置されるもの（図２０（Ｂ）参照）で、側面部１４９の設けられる位置が左右で異なること以外は同一形状であるので、左側に配置されるものについて図２０（Ａ）に基づいて説明する。
【００６０】
縦部材１４３は、第１の設置態様のものと同様に、Ｌ字状のアングル材からなるものであり、縦長の矩形からなる正面部１４７と、正面部１４７の右辺から背面側に直角に屈曲する（右）側面部１４９を有している（図２０（Ａ）参照）。
正面部１４７の上端部には、横部材１４５を、連結部材１４６を介して高さ調整可能に取り付けるためのボルト孔１５１が複数設けられている。なお、このボルト孔１５１は筐体１の背面のボルト孔１９の間隔と同一間隔に配置されている。
縦部材１４３の（右）側面部１４９における上端には、縦部材１４３の上部を、第３固定部材８５を介して壁面７に固定するためのボルト孔１５３が設けられている。
また、縦部材１４３の（右）側面部１４９における下端には、第１固定部材３５にボルト接合するためのボルト孔１５５が設けられている。
【００６１】
《横部材》
横部材１４５はその両端部が連結部材１４６を介して縦部材１４３に連結され、その中間部において筐体１の天面に接続されることで、筐体１の姿勢を保持させるための部材である。
横部材１４５は、図２１に示すように、縦部材１４３と同様に、Ｌ字状のアングル材からなるものであり、横長で矩形状の正面部１５７と、正面部１５７の下辺から背面側に直角に屈曲する底面部１５９を有している。
底面部１５９の両端部には、連結部材１４６に連結するためのボルト孔１６１が設けられている。
また、底面部１５９には、筐体１の天面に形成したボルト孔２１にボルト接合するためのボルト孔１６３が複数設けられている。
なお、筐体１の天面に設けるボルト孔２１は、第１の設置態様において筐体１の底面に設けたもの（図４（ｂ）参照）と同様に、前後に長い長孔とするのが好ましい。
【００６２】
第３の設置態様によれば、使用するインサートアンカー１５に対する筐体１の相対位置を第２の設置態様よりもさらに上方にすることができ、それ故に使用するインサートアンカー１５の位置が監視員通路１１４にさらに近い場合でも取り付けが可能である。
【００６３】
前述したように、シールドトンネルに設けられているインサートアンカー１５は、トンネルにおける絶対高さは一定であっても、トンネル内のカーブ等によって監視員通路１１４や車道の路面１１２からの高さが異なっている。
このような場合において、上述した第１の設置態様〜第３の設置態様の３つの設置態様を利用することで、絶対高さが同じインサートアンカー１５を利用しつつ、監視員通路１１４及び車道の路面１１２から消火栓装置３までの高さを一定にした消火栓装置３の設置が可能となる。
この点を、図２２に基づいて説明する。
【００６４】
図２２において、S.Lはトンネルの高さ方向のスプリングライン（シールドトンネルにおいてはセンターライン）であり、その少し下にあるインサートアンカー１５を利用して消火栓装置３を設置したものであり、（ａ）及び（ｂ）が第１の設置態様、（ｃ）〜（ｈ）が第２の設置態様、（ｉ）〜（ｋ）が第３の設置態様によって設置した例である。
図２２に示されるように、同じ高さのインサートアンカー１５を利用しつつ、監視員通路１１４からの高さが一定になっていることが分かる。
したがって、消火栓装置３のように、車道の路面１１２からの操作を想定している場合には、トンネル軸線方向に所定間隔毎（例えば５０ｍ毎）に設置される各消火栓装置３の車道の路面１１２からの高さが一定であることが要求される場合において、有用な架台であることが分かる。
【００６５】
なお、上記の実施の形態１では、縦部材７１、１４３に複数のボルト孔７９、１５１を設けて、連結部材１０３、１４６の縦部材７１、１４３への取付位置を調整するようにしたが、縦部材７１、１４３に上下方向に長い長孔を形成して、連結部材１０３、１４６を縦部材７１、１４３の上下方向で無段階に位置調整できるようにしてもよい。
【００６６】
［実施の形態２］
実施の形態２の消火装置用架台１６５を図２３〜図２７に基づいて説明する。
本実施の形態の消火装置用架台１６５は、主支持部材１１５の構造は実施の形態１の第２の設置態様と同様であり、姿勢保持部材１６７が異なるので、主支持部材１１５等については図中において実施の形態１と同一の符号を付して説明を省略し、姿勢保持部材１６７を中心に説明する。
【００６７】
姿勢保持部材１６７は、図２５に示されるように、筐体１の背面の四隅に壁面７に対して進退可能に設けられて、壁面７を押圧することで、筐体１の姿勢を保持するように構成されている。
四隅に設けられる４つの姿勢保持部材１６７の構造は同じなので、その一つを例にあげて、図２６に基づいて説明する。
【００６８】
姿勢保持部材１６７は、筐体１の背面に固定される取付台１６９と、取付台１６９に前後方向に移動可能に設けられた押し圧棒１７１を備えてなるものである。
取付台１６９は、側面視において、天板部１７３と、天板部１７３の上下辺からそれぞれ筐体１側に直角に屈曲する一対の縦壁部１７５と、各縦壁部１７５から上下方向に筐体１背面に沿うように設けられたフランジ部１７７を備えている。
取付台１６９の天板部１７３における内面側（筐体１側）には固定ナット１７９が設置されている。
押し圧棒１７１は、頭部を壁面７側に向けて取付台１６９の固定ナット１７９にねじ込まれたボルト１８１によって構成され、ボルト１８１のねじ込み量によって壁面７に対して進退できるようになっている。ねじ込み量が決定すると、天板部１７３を挟んで固定ナット１７９と反対側（壁面７側）に設けられた移動ナット１８３を締めこむことで、ボルト１８１の位置を固定することができる。
【００６９】
本実施の形態に係る姿勢保持部材１６７を備えた消火装置用架台１６５によって、消火栓装置３を設置する方法を説明する。
例えば、実施の形態１の第２の設置態様で示したように、主支持部材１１５によって消火栓装置３を壁面７に支持する。
この状態で、図２４に示すように、姿勢保持部材１６７の押し圧棒１７１を進退させて壁面７を押し圧することで、筐体１を背面側の４方向から押し戻すようにして突っ張ることで姿勢保持させる。
【００７０】
このように、本実施の形態の姿勢保持部材１６７によれば、簡易な構造によって消火栓装置３の姿勢を保持することができる。
また、筐体１の背面の４カ所において、それぞれ独立して進退を調整できるので、姿勢の微妙な調整も可能である。
【００７１】
なお、本実施の形態の姿勢保持部材１６７は、主支持部材１１５を挟んで上下に配置される必要があることから、実施の形態１の第１の設置態様のように第２主支持部材２７が筐体１の天面に接続される場合には、姿勢保持部材１６７を筐体１の背面に取り付けることができない。
そこで、このような場合には、図２７に示すように、例えば矩形の鋼管又はアングル材からなり上端が筐体１の天面よりも上方に延出する補助ビーム１８５を筐体１の側辺に固定し、この補助ビーム１８５に姿勢保持部材１６７を取り付けるようにすればよい。
このように、姿勢保持部材１６７が補助ビーム１８５を用いて筐体１の背面に取り付けられた場合であっても、本発明における筐体１の四隅に設けられた場合に含まれる。
【００７２】
［実施の形態３］
上述したように、シールドトンネルのインサートアンカー１５は、高さ方向で何段かに分かれて、同じ段のインサートアンカー１５はトンネル軸線方向に沿って直線状に配置されている。
そのため、トンネル内の道路が昇り坂や下り坂のような傾斜地になった場合、同じ段のインサートアンカー１５をトンネル軸線方向に繋ぐ直線は坂に沿った傾斜した直線となる。
そのため、同じ段のインサートアンカー１５を利用して、上記の実施の形態１、２で示した取付を行うと、消火栓装置３がインサートアンカー１５を繋ぐ直線に沿って斜めに設置されることになる。
【００７３】
しかしながら、消火栓装置３の内部には消火器が立てた状態で載置されているので、消火栓装置３が斜めに設置されると消火器が倒れたり、少しの振動で倒れたりしやすいという問題がある。また、消火栓装置３は、水平状態で使用することを前提に製作されているので、斜めの状態で長期間設置すると、扉のきしみ等の不具合が生ずる可能性がある。
そこで、本実施の形態では、傾斜地にあるトンネル内においてインサートアンカー１５を利用して消火栓装置３を設置する場合において、消火栓装置３を水平状態に設置できる消火装置用架台１８６を提供するものである。
【００７４】
上記の課題を解決するために、本実施の形態の主な特徴は、第１主支持部材を、トンネル軸線方向の傾きを調整可能にトンネルの壁面７に取り付ける固定部材（第１固定部材１８７、第２固定部材１８９）を備えたことを特徴とするものである。
以下、本実施の形態の消火装置用架台１８６を、図２８〜図３２に基づいて、トンネル内が図中右側に向かって下り傾斜になっている場合を例に挙げて説明する。なお、図２８〜図３２において、実施の形態１、２で用いている部材と同一の部材については同一の符号を付して説明を省略する。
【００７５】
本実施の形態の消火装置用架台１８６を構成する部材において、実施の形態１、２と異なるものは、第１主支持部材１１７を壁面７に固定する第１固定部材１８７及び第２固定部材１８９、縦部材１９１、縦部材１９１を壁面７に固定する第３固定部材１９３であるので、これらの各部材について図２８〜図３２に基づいて詳細に説明する。
なお、図２８は図１４に示した実施の形態１における第２の設置態様と同様の態様であるが、図２８では主支持部材１１５のうち第１主支持部材１１７のみを図示し第２主支持部材１１９の図示を省略している。
【００７６】
《第１固定部材》
第１固定部材１８７は、実施の形態１の第１固定部材３５と同様に第１主支持部材１１７の両端部の位置にあって、壁面７のインサートアンカー１５に固定され、第１主支持部材１１７の両端部と後述する縦部材１９１の上端部を固定するものである（図２８参照）。
本実施の形態の第１固定部材１８７は、図２９に示すように、その基本的な形状は実施の形態１の第１固定部材３５（図６参照）と同様であり、第１固定部材３５と異なる点は、背面部４３が長く設定され、背面部４３には複数個（本例では６個）の長孔４１が高さ方向に所定間隔で設けられている点である。
なお、図２９において、図６に示した第１固定部材３５と対応する部分には同一の符号が付してある。
【００７７】
背面部４３の長さを長くして複数の長孔４１を設けたのは、第１主支持部材１１７の左右に設置する第１固定部材１８７について、高さの違うインサートアンカー１５を利用して固定した場合でも、その上面部４７の高さが左右の第１固定部材１８７で同一高さになるように、高さ調整機能を持たせるためである。この高さ調整機能の詳細は後述する。
【００７８】
《第２固定部材》
第２固定部材１８９は、実施の形態１の第２固定部材３７と同様に、第１主支持部材１１７の中間部の位置にあって、壁面７のインサートアンカー１５に固定され、第１主支持部材１１７を壁面７に固定するためのものである（図２８参照）。
本実施の形態の第２固定部材１８９は、図３０に示すように、その基本的な形状は実施の形態１の第２固定部材３７（図７参照）と同様であり、第２固定部材３７と異なる点は、背面部５５が長く設定され、背面部５５には複数個（本例では６個）の長孔５３が高さ方向に所定間隔で設けられている点である。
なお、図３０において、図７に示した第２固定部材３７と対応する部分には同一の符号が付してある。
【００７９】
背面部５５に複数の長孔５３を設けたのは、図２８に示すように、トンネル軸線方向に所定間隔で設置する複数個（本例では４個）の第２固定部材１８９について、高さの違うインサートアンカー１５を利用して固定した場合でも、その上端の高さが全ての第２固定部材１８９で同一になるように、高さ調整機能を持たせるためである。この高さ調整機能の詳細は後述する。
【００８０】
《縦部材》
縦部材１９１は、実施の形態１の縦部材７１と同様に、上端が第１固定部材１８７に取り付けられて、下部に横部材７３が取り付けられるものであり、左右一対で構成されている（図２８、図３１（Ａ）、（Ｂ）参照）。
本実施の形態の縦部材１９１は、図３１に示すように、その基本的な形状は実施の形態１の縦部材７１（図９参照）と同様であり、縦部材７１と異なる点は、図２８において右側に配置される縦部材１９１（図３１（Ｂ）参照）の（左）側面部７７の下部に設けられるボルト孔８３の位置が、図２８において左側に配置される縦部材１９１（図３１（Ａ）参照）の（右）側面部７７の下部に設けられるボルト孔８３よりも下方に配置されている点である。
なお、図３１において、図９に示した縦部材７１と対応する部分には同一の符号が付してある。
【００８１】
図２８における右側の縦部材１９１の（左）側面部７７の下部のボルト孔８３の位置を下方にした理由は以下の通りである。
図２８は、前述したように図中右側に向かって下り傾斜となる傾斜面になっているトンネル内を示している。図中右に向かって下り傾斜であるため、壁面７に設置されているインサートアンカー１５は同じ段（例えば、図中の最下段）であっても、図中右側のものが低い位置になる。縦部材１９１はインサートアンカー１５に固定される第３固定部材１９３に取り付けられるため、左右の縦部材１９１の長さが同じ場合、左右の縦部材１９１の上端位置を同じにするには、低い位置にあるインサートアンカー１５に固定される第３固定部材１９３に固定される図中右側の縦部材１９１は、第３固定部材１９３への固定位置を、図中左側の縦部材１９１における第３固定部材１９３への固定位置よりも下方にする必要がある。
そこで、図中右側の縦部材１９１における第３固定部材１９３へ固定するためのボルト孔８３の位置を図中左側のボルト孔８３の位置よりも下方に設定している。
【００８２】
《第３固定部材》
第３固定部材１９３は、実施の形態１の第３固定部材８５と同様に、縦部材１９１の下部に配置されて、縦部材１９１の下部を壁面７に固定するためのものである。
本実施の形態の第３固定部材１９３は、図３２に示すように、その基本的な形状は実施の形態１の図中右側に配置された第３固定部材８５（図１０（Ｂ）参照）と同様であり、第３固定部材８５と異なる点は、正面部８７が実施の形態１の第３固定部材８５よりも長く設定され、正面部８７には２個のボルト孔９１が設置状態で横方向に所定間隔で設けられている点、及び実施の形態１の第３固定部材８５は左右で形状が異なっていたが、本実施の形態の第３固定部材１９３は左右同一形状である点である。
なお、図３２において、図１０（Ｂ）に示した第３固定部材８５と対応する部分には同一の符号が付してある。
【００８３】
第３固定部材１９３の正面部８７に２個のボルト孔９１を設けた理由は以下の通りである。
縦部材１９１は垂直に配置され、右側に傾斜する下り傾斜であるため同一段のインサートアンカー１５を繋ぐ直線は右下がりの直線となる。このため、図中右側の第３固定部材１９３を固定するためのインサートアンカー１５の位置が低いため縦部材１９１の上端からインサートアンカー１５までの距離は、図中右側の方が長い。そして、縦部材１９１とインサートアンカー１５を繋ぐ直線が直交しないため、縦部材１９１の長さの違いに応じて、インサートアンカー１５の位置と縦部材１９１とのトンネル軸線方向の距離に差があり、図中右側の方が長い。
このため、本実施の形態では、左右の第３固定部材１９３を同一部品とするため、距離の短い場合と距離の長い場合の両方で使用できるように、正面部８７の長さを長くして２個のボルト孔を設けている。
【００８４】
＜設置方法＞
上記のように構成された、消火装置用架台１８６によって消火栓装置３を、図２８に示す態様で、シールドトンネルの壁面７にインサートアンカー１５を利用して設置する方法を説明する。
【００８５】
まず、所定の位置（図２８では上から２段目）にあるインサートアンカー１５を利用して、第１固定部材１８７及び第２固定部材１８９を壁面７にボルト固定する。
図２８に示す例では、図中右側が低くなる傾斜面であるため、同じ段のインサートアンカー１５でも、図中右側ほど高さ位置が低くなっている。この状況で、第１主支持部材１１７を水平に取り付けるには、図中左側の第１固定部材１８７は最も上部の長孔４１を用いてインサートアンカー１５に固定し、図中右側の第１固定部材１８７は、上から５番目の長孔４１を用いてインサートアンカー１５に固定する。これによって、左右の第１固定部材１８７の上面部の高さは同じになる。
【００８６】
第２固定部材１８９は、図中最も左側のものは上から２個目の長孔５３を用いてインサートアンカー１５に固定し、その右隣の第２固定部材１８９は上から３個目の長孔５３を用いてインサートアンカー１５に固定し、その右隣りの第２固定部材１８９は上から４個目の長孔５３を用いてインサートアンカー１５に固定し、その右隣の第２固定部材１８９は上から５個目の長孔５３を用いてインサートアンカー１５に固定する。このようにすることで、全ての第２固定部材１８９を共通部品としながら、その上面部５９を同一高さにすることができる。
上記のように設置された第１固定部材１８７及び第２固定部材１８９の上面部４７、５９に第１主支持部材１１７を固定することで、第１主支持部材１１７を水平に設置することができる。
【００８７】
次に、一対の縦部材１９１の上端を第１固定部材１８７にボルト固定する。
図中左側に配置される第３固定部材１９３を、正面部８７に設けられた２個のボルト孔９１のうち図中右側（側面部８９に近い側）のものとインサートアンカー１５を利用して壁面７に固定する。また、図中右側に配置される第３固定部材１９３を、正面部８７に設けられた２個のボルト孔９１のうち図中左側（側面部８９から遠い側）のものとインサートアンカー１５を利用して壁面７に固定する。
そして、各第３固定部材１９３と一対の縦部材１９１をボルトで固定する。
【００８８】
第２主支持部材１１９の筐体１への取り付けや、筐体１に取り付けられた第２主支持部材１１９と第１主支持部材１１７の接合方法、横部材７３の縦部材１９１への取り付け方法、横部材７３と筐体１の底面のボルト接合方法は、実施の形態１の第２の設置態様と同様である。
【００８９】
以上のように、本実施の形態によれば、トンネル軸方向に傾斜する傾斜面にあるトンネルの壁面７に消火栓装置３を設置する場合において、同一段にあるインサートアンカー１５を使用しつつ、消火栓装置３を水平方向に設置することができる。
【００９０】
なお、上記の説明は、第２の設置態様を例に挙げて説明したが、実施の形態３で説明した第１固定部材１８７、第２固定部材１８９は実施の形態１の第１、第３の設置態様、実施の形態２においても適用することができる。
また、実施の形態３で示した縦部材１９１や第３固定部材１９３は、実施の形態１の第１、第３の設置態様においても適用することができる。
【００９１】
なお、上記の実施の形態１〜３では、上下方向の位置調整に加えて左右方向の位置調整も可能なものについて説明したが、左右方向の位置調整が不要な場合もあり、この場合には第１主支持部材２５、１１７を第２主支持部材２７、１１９と同様に筐体１の横幅と同一寸法にすればよい。
【００９２】
また、上記の実施の形態１〜３では、消火装置の例として、内部に消火用のホースを収納した消火栓装置３を例に挙げて説明したが、本発明の消火装置としては、消火器のみを収納した消火器箱も含まれる。
【００９３】
また、上記の実施の形態１、２では、消火栓装置３の姿勢を保持するための姿勢保持部材１１、１４１、１６７を例示したが、姿勢保持部材１１、１４１、１６７は、消火栓装置３の荷重を支持するものではなく、消火栓装置３の姿勢を保持する補助的なものであることから、上記の例に限られず、筐体１のいずれかの箇所と壁面７とを連結するような部材であれば、その形状は問わない。
例えば、上記の実施の形態１、３では、横部材７３、１４５が両側の縦部材７１、１４３に亘るように配設された１本の部材で構成されるものであったが、両側の縦部材７１、１４３それぞれから筐体１に延出して筐体１に連結される２本の横部材によって構成してもよい。
【００９４】
また、上記の実施の形態１〜３では、壁面７をシールドトンネルのセグメント１３として説明したが、シールドトンネルではないコンクリートの壁面にも本発明の消火装置用架台５、１６５、１８６は適用できる。
【００９５】
また、上記の実施の形態１〜３では、第１主支持部材２５と第２主支持部材２７の連結、及び第１主支持部材１１７と第２主支持部材１１９の連結をボルトによって行う例を示したが、これらの連結は、ボルトに限られるものではなく、例えば両者に係合部を設けて両者を係合させることで連結するようにしてもよい。
【００９６】
また、上記の実施の形態１〜３では、第２主支持部材２７、１１９を筐体１のボルト孔１９、２１にボルト固定する例であったが、第２主支持部材２７、１１９に係止部を設けてボルト孔１９、２１に係止するようにしてもよい。
【００９７】
なお、上記の説明は、トンネルの壁面７以外にも設置できる消火栓装置を前提として、消火栓装置３を壁面７に設置するための消火装置用架台５、１６５、１８６について説明したが、例えばトンネルの壁面７に設置することを前提とするならば上記実施の形態で説明した消火装置用架台５、１６５、１８６を含めてトンネルの壁面設置タイプの消火栓装置として捉えることもできる。
【符号の説明】
【００９８】
＜実施の形態１＞
〔第１の設置態様〕
１  筐体
３  消火栓装置
５  消火装置用架台
７  壁面
９  主支持部材
１１  姿勢保持部材
１３  セグメント
１５  インサートアンカー
１７  傾斜面部
１９  ボルト孔（筐体背面）
２１  ボルト孔（筐体天面）
２３  ボルト孔（筐体底面）
２５  第１主支持部材
２７  第２主支持部材
２９  正面部（第１主支持部材）
３１  上面部（第１主支持部材）
３３  ナット付きボルト孔（第１主支持部材正面部）
３５  第１固定部材
３７  第２固定部材
３９  長孔（第１主支持部材上面部）
４１  長孔（第１固定部材背面部）
４３  背面部（第１固定部材）
４５  側面部（第１固定部材）
４７  上面部（第１固定部材）
４９  ボルト孔（第１固定部材左側面部）
５１  ナット付きボルト孔（第１固定部材上面部）
５３  長孔（第２固定部材背面部）
５５  背面部（第２固定部材）
５７  右側面部（第２固定部材）
５９  上面部（第２固定部材）
６１  ナット付きボルト孔（第２固定部材上面部）
６３  背面部（第２主支持部材）
６５  底面部（第２主支持部材）
６７  ボルト孔（第２主支持部材背面部）
６９  ボルト孔（第２主支持部材底面部）
７１  縦部材
７３  横部材
７５  正面部（縦部材）
７７  側面部（縦部材）
７９  ボルト孔（縦部材正面部）
８１  ボルト孔（縦部材右側面部上）
８３  ボルト孔（縦部材右側面部下）
８５  第３固定部材
８７  正面部（第３固定部材）
８９  側面部（第３固定部材）
９１  ボルト孔（第３固定部材正面部）
９３  ボルト孔（第３固定部材側面部）
９５  正面部（横部材）
９７  上面部（横部材）
９９  ボルト孔（横部材上面部端）
１０１  ボルト孔（横部材上面部）
１０３  連結部材
１０５  ボルト孔（連結部材背面部）
１０７  背面部（連結部材）
１０９  側面部（連結部材）
１１１  上面部（連結部材）
１１２  路面
１１３  ナット付きボルト孔（連結部材上面部）
１１４  監視員通路
〔第２の設置態様〕
１１５  主支持部材
１１７  第１主支持部材
１１９  第２主支持部材
１２１  背面部（第１主支持部材）
１２３  底面部（第１主支持部材）
１２５  ナット付きボルト孔（第１主支持部材底面部）
１３１  長孔（第１主支持部材底面部）
１３３  正面部（第２主支持部材）
１３５  底面部（第２主支持部材）
１３７  ナット付きボルト孔（第２主支持部材正面部）
１３９  ボルト孔（第２主支持部材底面部）
〔第３の設置態様〕
１４１  姿勢保持部材
１４３  縦部材
１４５  横部材
１４６  連結部材
１４７  正面部（縦部材）
１４９  側面部（縦部材）
１５１  ボルト孔（縦部材正面部）
１５３  ボルト孔（縦部材右側面部上）
１５５  ボルト孔（縦部材右側面部下）
１５７  正面部（横部材）
１５９  底面部（横部材）
１６１  ボルト孔（横部材底面部端）
１６３  ボルト孔（横部材底面部）
＜実施の形態２＞
１６５  消火装置用架台
１６７  姿勢保持部材
１６９  取付台
１７１  押し圧棒
１７３  天板部
１７５  縦壁部
１７７  フランジ部
１７９  固定ナット
１８１  ボルト
１８３  移動ナット
１８５  補助ビーム
＜実施の形態３＞
１８６  消火装置用架台
１８７  第１固定部材
１８９  第２固定部材
１９１  縦部材
１９３  第３固定部材
【図１】
2020078429.tif 000003
【図２】
2020078429.tif 000004
【図３】
2020078429.tif 000005
【図４】
2020078429.tif 000006
【図５】
2020078429.tif 000007
【図６】
2020078429.tif 000008
【図７】
2020078429.tif 000009
【図８】
2020078429.tif 000010
【図９】
2020078429.tif 000011
【図１０】
2020078429.tif 000012
【図１１】
2020078429.tif 000013
【図１２】
2020078429.tif 000014
【図１３】
2020078429.tif 000015
【図１４】
2020078429.tif 000016
【図１５】
2020078429.tif 000017
【図１６】
2020078429.tif 000018
【図１７】
2020078429.tif 000019
【図１８】
2020078429.tif 000020
【図１９】
2020078429.tif 000021
【図２０】
2020078429.tif 000022
【図２１】
2020078429.tif 000023
【図２２】
2020078429.tif 000024
【図２３】
2020078429.tif 000025
【図２４】
2020078429.tif 000026
【図２５】
2020078429.tif 000027
【図２６】
2020078429.tif 000028
【図２７】
2020078429.tif 000029
【図２８】
2020078429.tif 000030
【図２９】
2020078429.tif 000031
【図３０】
2020078429.tif 000032
【図３１】
2020078429.tif 000033
【図３２】
2020078429.tif 000034